(57)【要約】【課題】他の部材に付随したものでなく、単独で購入することで採用でき、コストが安価で、且つ設置スペースが狭くて済む操作キーカバーを提供する。【解決手段】カバー本体１Ａは正面側カバー面部２と上面側カバー面部３と側面側カバー面部４を有していて、側面側カバー面部４の外面に嵌合凹部１６Ａを設け、この嵌合凹部１６Ａにスリット５とねじ挿通孔６を設け、操作キー１２のキー部１４をスリット５に挿入して操作キー１２のキー側取付部１３を嵌合凹部１６Ａに嵌合し、取付用ねじ部材２９をねじ挿通孔６からキー側取付部１３のねじ挿通孔１５に挿通してキー側取付部１３と側面側カバー面部４とを共締めするようにして、操作キーカバー１に操作キー１２を取付け、キー部１４を正面側カバー面部２と上面側カバー面部３で保護するようにした。【選択図】図４
2008226493.tif 000002
【特許請求の範囲】
【請求項１】
安全スイッチのスイッチ本体のキー挿入口に差し込むことによって、前記スイッチ本体のスイッチ部を作動させる操作キーを保護するカバー本体を備えた操作キーカバーであって、
前記カバー本体は、前記操作キーのキー部の平坦面部および少なくとも一つの側面部を保護する保護壁部を有することを特徴とする操作キーカバー。
【請求項２】
前記保護壁部をそれぞれ操作キー取付面部に構成して、これら操作キー取付面部の何れかに前記操作キーを選択装着可能にし、前記保護壁部によって保護される前記操作キーの前記側面部も選択変更できるようにしたことを特徴とする操作キーカバー。
【請求項３】
前記保護壁部を、前記平坦面部に対向してカバーする第１のカバー面部と、前記片方の側面部に対向してカバーする第２のカバー面部とを互いに交叉するように形成することにより構成しており、前記第１及び第２のカバー面部に対して互いに交叉し、且つ操作キー挿入方向に対して垂直な第３のカバー面部を備えており、前記第１のカバー面部と前記第３のカバー面部とが前記操作キー取付面部にしてあり、当該操作キー取付面部は、前記操作キーを取付けるキー取付手段を有していることを特徴とする請求項１又は請求項２に記載の操作キーカバー。
【請求項４】
前記操作キーは、前記キー部に対して屈曲し且つキー側取付孔を有するキー側取付部を有していて、前記キー取付手段は、前記操作キー取付面部の外面に前記キー側取付部が挿入される嵌合凹部を設け、この嵌合凹部にスリットとカバー側取付孔を設けて構成してあり、前記スリットに前記キー部を挿入して前記キー側取付部を前記嵌合凹部に嵌合し、取付用ねじ部材を前記カバー側取付孔から前記キー側取付孔に挿通させるようにしたことを特徴とする請求項３に記載の操作キーカバー。
【請求項５】
前記平坦面部に対向する第１のカバー面部と、前記片方の側面部に対向する第２のカバー面部とが互いに交叉する前記保護壁部を構成しており、これらの保護壁部が操作キー取付面部にしてあり、当該操作キー取付面部は、その内面に前記操作キーを取付けるキー取付手段を有していることを特徴とする請求項１又は請求項２に記載の操作キーカバー。
【請求項６】
前記操作キーは、前記キー部に直線状に連なり且つキー側取付孔を有するキー側取付部を有しており、前記キー取付手段は、前記操作キー取付面部に設けたキー取付用嵌合部とカバー側取付孔を有しており、このキー取付用嵌合部に前記キー側取付部を嵌め込んで、取付用ねじ部材を前記カバー側取付孔から前記キー側取付孔に挿通させるようにしたことを特徴とする請求項５に記載の操作キーカバー。
【請求項７】
前記平坦面部に対向する第１のカバー面部と、前記片方の側面部に対向する第２のカバー面部とが互いに交叉する前記保護壁部を構成しており、これらの保護壁部は、前記カバー本体に、当該カバー本体を前記操作キー取付部材に取付けるための取付座部を備えており、当該取付座部を用いて前記カバー本体が前記操作キーとは別に前記操作キー取付部材に取付けられることを特徴とする請求項１に記載の操作キーカバー。
【請求項８】
前記平坦面部に対向する第１のカバー面部と、前記片方の側面部に対向する第２のカバー面部とが互いに交叉する前記保護壁部を構成しており、前記保護壁部の内面部に、前記操作キー挿入方向に対して互いに離間させてカバー側キー取付部を設け、前記カバー側キー取付部の何れかの一方に前記操作キーを取付けて、この操作キーのキー部を前記保護壁部で覆うようにしたことを特徴とする請求項１又は請求項２に記載の操作キーカバー。
【請求項９】
前記操作キーは、前記キー部に対して屈曲したキー側取付部を有し、且つ、このカバー側キー取付部がキー取付用嵌合部とカバー側取付け孔を有して構成されており、前記キー側取付部を前記キー取付用嵌合部に取付けて、前記操作キーが前記カバー側キー取付部に取付けられることを特徴とする請求項８に記載の操作キーカバー。
【発明の詳細な説明】
【技術分野】
【０００１】
本発明は、産業用機器、産業用ロボット等が設置された作業エリアにおける安全扉やフェンス扉などの出入り口に装備するドアスイッチのような安全スイッチの操作キーを覆う操作キーカバーに関する。
【背景技術】
【０００２】
安全スイッチであるドアスイッチは、不用意な作業エリアへの侵入による事故を未然に防止するために用いられるものであり、作業エリアにおける出入り口の固定枠にスイッチ本体が取り付けられると共に、出入り口を開閉する扉の端部に操作キーが設けられ、扉が閉じられて操作キーがスイッチ本体に挿入されると電源が入れられ、扉が開かれて操作キーが抜かれることで電源が切られ、扉が正しく閉じられていないと内部の機器が作動されないようになっている。
【０００３】
すなわち、図３５及び図３６に示すように、産業用機器、産業用ロボット等の作業エリアの出入り口１２１の左右端を形成する取付板１２２とスライド扉１２７には、安全スイッチであるドアスイッチＢが装備してある。このドアスイッチＢは取付板１２２に取付けられたスイッチ本体１２３と、操作キー１２４の組合わせとして構成してある。
【０００４】
スイッチ本体１２３は本体ブロック部１２３Ａとヘッド部１２５を有しており、ヘッド部１２５には、その側面部１２５ａにキー挿入口１２６Ａが、また頂部１２５ｂにはキー挿入口１２６Ｂがそれぞれ設けてある（図３６参照）。また、本体ブロック部１２３Ａには、キー挿入口１２６Ａ（１２６Ｂ）に操作キー１２４が挿抜されることで正逆に回転操作される回転カムと、この回転カムの正回転によって接点切換えが行われるスイッチ部（いずれも図示せず）が内装してあり、作業エリアに設置された各種機器に対する駆動用電源の入り切りが行われるようになっている。
【０００５】
そして、図３５に示すように、スイッチ本体１２３は縦姿勢で取付板１２２に取り付けてあり、そのヘッド部１２５のキー挿入口１２６Ａは出入り口１２１側に向けてある。スライド扉１２７の外側面には、出入り口１２１側に寄せて、スライド扉１２７の外側面に対して直角に扉側キー取付部１２８が設けてある。そして、この扉側キー取付部１２８に操作キー１２４が取付けてある。
【０００６】
この場合、操作キー１２４が後退して出入り口１２１が開いている状態では、操作キー１２４はスライド扉１２７の端部から突出して露出することになる。このために、操作キー１２４が突出されていることに気づかずに、作業者が大型の工具や加工部品などを持って出入り口を通過する際に、操作キー１２４に工具や加工部品をぶつけてしまうおそれがあるばかりか、作業者が操作キー１２４に触れるおそれもあった。
【０００７】
このような点を解決するものとして、出入り口の固定枠にスイッチ本体と受け金具を取り付けると共に、スイッチ本体に横方向から挿抜される操作キーと受け金具に横方向から挿抜されるカンヌキ部材とを一体化してなる操作キーを揺動開閉可能な扉の端部に移動可能に取り付け、扉を閉じ状態における移動操作によってスイッチ本体への操作キーと受け金具へのカンヌキ部材の挿抜を同時に行うドアスイッチに用いるスライドキーにおいて、カンヌキ部材にガード部を形成すると共に、このガード部によって保護されるように操作キーを配置したスライドキーが開示されている（例えば、特許文献１参照）。
【０００８】
また、例えば、図３７に示すように、作業エリアにおける出入り口の固定枠１３０にスイッチ本体１３１を取付けると共に、出入り口を開閉する移動扉の取付板１３２に操作キー１３３を取付け、取付板１３２に操作キー１３３の正面部、上面部及び背面部を覆う、下面を抜いた箱形の操作キーカバー１３４を設け、この操作キーカバー１３４のスイッチ本体１３１に対向する縁部にＣ面であるリード面部１３６を設けて、移動扉を移動して出入り口を閉じる際に、リード面部１３６をスイッチ本体１３１のヘッド部１３５に当てて、ヘッド部１３５を操作キーカバー１３４内に誘導して、操作キー１３３をヘッド部１３５の頂部に設けたキー挿入口（図示せず）に挿入するようにしたものがある（例えば、特許文献２参照）。
【特許文献１】特開２００６−１４００４０号公報
【特許文献２】ＤＥ２０１１０７７３号公報
【発明の開示】
【発明が解決しようとする課題】
【０００９】
前者の従来例にあっては、スライドキーにおいて操作キーを保護するガード部がカンヌキ部材に一体化されているために、ガード部のみを必要とする場合でもスライドキー全体を購入しなければならず、コストが高くなり、また、設置スペースが大きくなるという問題が生じていた。
【００１０】
また、後者の従来例にあっては、スイッチ本体１３１のヘッド部１３５に設けたキー挿入口に、このヘッド部１３５の側面方向から操作キー１３３を挿入するようにした場合、操作キーカバー１３４を横にして、その下側の開口をヘッド部１３５の側面側に向けたとしても、ヘッド部１３５と設置面の間に大きな隙間がないと、すなわち、ヘッド部１３５を設置面から浮かさないと操作キーカバー１３４が使用できないという問題が生じていた。
【００１１】
また、操作キーカバー１３４の有無で操作キー１３３とスイッチ本体１３１の位置関係が変わり、セット直しや、取付板に孔開けをするといった問題が生じていた。
【００１２】
本発明は、このような実情に着目してなされたものであって、その目的とするところは、コストが安価で、且つ設置スペースが狭くて済むし、また、操作キーとスイッチ本体の位置関係を変えることがなく、さらに、操作キーのキー挿入口への挿入を、スイッチ本体のヘッド部に対して両方向から行うことができるようになって、セッティングし易くなる操作キーカバーを提供することである。
【課題を解決するための手段】
【００１３】
上記の目的を達成するために、本発明に係る操作キーカバーは、安全スイッチのスイッチ本体のキー挿入口に差し込むことによって、スイッチ本体のスイッチ部を作動させる操作キーを保護するカバー本体を備えた操作キーカバーであって、カバー本体が、操作キーのキー部の平坦面部および少なくとも一つの側面部を保護する保護壁部を有することを特徴とする。
【００１４】
かかる構成により、操作キーカバーは他の部材に付随したものでないために、操作キーカバーのみを購入することで採用でき、コストが安価で、且つ設置スペースが狭くて済む。また、保護壁部が操作キーの平坦面部と片方の側面部を保護するものであるために、操作キーを操作キーカバーで保護しても、操作キーの挿入をスイッチ本体に対して両方から行うことができるようになって、セッティングし易くなる。
【００１５】
また、上記の目的を達成するために、本発明に係る操作キーカバーは、上記した本発明に係る操作キーカバーにおいて、保護壁部をそれぞれ操作キー取付面部に構成して、これら操作キー取付面部の何れかに操作キーを選択装着可能にし、保護壁部によって保護される操作キーの側面部も選択変更できるようにしたことを特徴とする。
【００１６】
かかる構成により、操作キーカバーは他の部材に付随したものでないために、操作キーカバーのみを購入することで採用でき、コストが安価で、且つ設置スペースが狭くて済む。また、操作キーの操作キー取付面部への装着を選択変更することで操作キーの保護される側面部が反対側になって、操作キーの一方向からの挿抜、又は他方向からの挿抜に対応できるようになって、セッティングし易くなる。
【００１７】
また、本発明に係る操作キーカバーは、上記した本発明に係る操作キーカバーにおいて、保護壁部を、平坦面部に対向してカバーする第１のカバー面部と、片方の側面部に対向してカバーする第２のカバー面部とを互いに交叉するように形成することにより構成しており、第１及び第２のカバー面部に対して互いに交叉し、且つ操作キー挿入方向に対して垂直な第３のカバー面部を備えており、第１のカバー面部と第３のカバー面部とが操作キー取付面部にしてあり、当該前記操作キー取付面部が、操作キーを取付けるキー取付手段を有していることを特徴とする。
【００１８】
かかる構成により、第３のカバー面部である第１の操作キー取付面部にキー取付手段により操作キーを取付けることで、この操作キーを第１、第２のカバー面部で保護することができる。このために、操作キーカバー及び操作キーの設置スペースが狭くて済むし、また、操作キーの挿入をスイッチ本体に対して両方から行うことができるようになって、セッティングし易くなる。また、セッティング時の使い易さが向上する。ここで、第１のカバー面部は、例えば上面側カバー面部が相当し、第２のカバー面部は、例えば正面側カバー面部が相当し、第３のカバー面部は、例えば側面側カバー面部が相当する。
【００１９】
また、本発明に係る操作キーカバーは、上記した本発明に係る操作キーカバーにおいて、操作キーは、キー部に対して屈曲し且つキー側取付孔を有するキー側取付部を有していて、キー取付手段は、操作キー取付面部の外面にキー側取付部が挿入される嵌合凹部を設け、この嵌合凹部にスリットとカバー側取付孔を設けて構成してあり、スリットにキー部を挿入してキー側取付部を嵌合凹部に嵌合し、取付用ねじ部材をカバー側取付孔からキー側取付孔に挿通させるようにしたことを特徴とする。
【００２０】
かかる構成により、操作キー取付面部に操作キーを取付ける場合に、キー部をスリットに挿入してキー側取付部を嵌合凹部に嵌合して行うことで、操作キー取付面部の外面位置よりスイッチ本体側に操作キーを移動させることができる。このために、既存の所定長の操作キーを操作キーカバーに取付けて使用できるし、スイッチ本体のヘッド部のキー挿入口にキー部が挿入された際に、確実に、スイッチ部接点切換えを行う回転カムを作動することができるようになって、操作キーとスイッチ本体の位置関係を変える必要がなくなり、セッティング時の使い易さが向上する。
【００２１】
また、本発明に係る操作キーカバーは、上記した本発明に係る操作キーカバーにおいて、平坦面部に対向する第１のカバー面部と、片側の側面部に対向する第２のカバー面部とが互いに交叉する保護壁部を構成しており、これらの保護壁部が操作キー取付面部にしてあり、当該操作キー取付面部は、その内面に操作キーを取付けるキー取付手段を有していることを特徴とする。
【００２２】
かかる構成により、キー取付手段に操作キーを取付けることで、この操作キーを操作キーカバーに取付けることができる。このために、操作キーカバー及び操作キーの設置スペースが狭くて済むし、また、操作キーの挿入をスイッチ本体に対して両方から行うことができるようになって、セッティングし易くなる。
【００２３】
また、本発明に係る操作キーカバーは、上記した本発明に係る操作キーカバーにおいて、操作キーは、キー部に直線状に連なり且つキー側取付孔を有するキー側取付部を有しており、キー取付手段は、操作キー取付面部に設けたキー取付用嵌合部とカバー側取付孔を有しており、このキー取付用嵌合部にキー側取付部を嵌め込んで、取付用ねじ部材をカバー側取付孔からキー側取付孔に挿通させるようにしたことを特徴とする。
【００２４】
かかる構成により、キー取付用嵌合部にキー側取付部を嵌め込んで操作キーを操作キーカバーに取付けることができる。このために、操作キーカバー及び操作キーの設置スペースが狭くて済むし、また、操作キーの挿入をスイッチ本体に対して両方から行うことができるようになって、セッティングし易くなる。
【００２５】
また、本発明に係る操作キーカバーは、上記した本発明に係る操作キーカバーにおいて、平坦面部に対向する第１のカバー面部と、片方の側面部に対向する第２のカバー面部とが互いに交叉する保護壁部を構成しており、これらの保護壁部は、カバー本体に、当該カバー本体を操作キー取付部材に取付けるための取付座部を備えており、当該取付座部を用いて前記カバー本体が前記操作キーとは別に前記操作キー取付部材に取付けられることを特徴とする。
【００２６】
かかる構成により、操作キーをキー取付部材に取付けた後に、操作キーカバーを、その取付座部を利用してキー取付部材に取付けることができるし、操作キーカバーの有無で操作キーとスイッチ本体の位置関係を変える必要がなくなる。
【００２７】
また、本発明に係る操作キーカバーは、上記した本発明に係る操作キーカバーにおいて、平坦面部に対向する第１のカバー面部と、片方の側面部に対向する第２のカバー面部とが互いに交叉する保護壁部を構成しており、保護壁部の内面部に、操作キー挿入方向に対して互いに離間させてカバー側キー取付部を設け、カバー側キー取付部の何れかの一方に操作キーを取付けて、この操作キーのキー部を保護壁部で覆うようにしたことを特徴とする。
【００２８】
かかる構成により、操作キーをキー取付用嵌合部に取付けて操作キーを操作キーカバーに取付けることができる。このために、操作キーカバー及び操作キーの設置スペースが狭くて済むし、また、操作キーの挿入をスイッチ本体に対して両方から行うことができるようになって、セッティングし易くなる。
【００２９】
また、本発明に係る操作キーカバーは、上記した本発明に係る操作キーカバーにおいて、操作キーが、キー部に対して屈曲したキー側取付部を有し、且つ、このカバー側キー取付部がキー取付用嵌合部とカバー側取付け孔を有して構成されており、キー側取付部をキー取付用嵌合部に取付けて、操作キーがカバー側キー取付部に取付けられることを特徴とする。
【００３０】
かかる構成により、操作キーのキー側取付部をキー取付用嵌合部に取付けて操作キーを操作キーカバーに取付けることができる。このために、操作キーカバー及び操作キーの設置スペースが狭くて済むし、また、操作キーの挿入をスイッチ本体に対して両方から行うことができるようになって、セッティングし易くなる。
【発明の効果】
【００３１】
本発明に係る操作キーカバーによれば、操作キーカバーは他の部材に付随したものでないために、操作キーカバーのみを購入することで採用でき、コストが安価で、且つ設置スペースが狭くて済む。また、保護壁部が操作キーのキー部の平坦面部と片方の側面部を保護するものであるために、操作キーを操作キーカバーで保護しても、操作キーの挿入をスイッチ本体に対して両方から行うことができるようになって、セッティングし易くなる。また、スイッチ本体のヘッド部のキー挿入口にキー部が挿入された際に、確実に、スイッチ部接点切換えを行う回転カムを作動することができるようになって、操作キーとスイッチ本体の位置関係を変える必要がなくなり、セッティング時の使い易さが向上する。
【発明を実施するための最良の形態】
【００３２】
以下、図面によって、本発明の実施の形態について、図面に基づいて詳細に説明する。
【００３３】
（実施例１）
本発明に係る操作キーカバーの実施例１を図１乃至図１１に示す。なお、説明の便宜上、操作キー挿入方向Ｆに対して上下方向及び左右方向を図示のように設定する。
【００３４】
図１に示すように、操作キー１２は、そのキー本体１２Ａの基部にキー側取付部１３を、その先部にキー部１４をそれぞれ有しており、キー側取付部１３はキー部１４に対して直角に屈曲してあって、このキー側取付部１３には長孔からなる一対のキー側取付孔であるねじ挿通孔１５が形成してある。
【００３５】
操作キーカバー１は透明な合成樹脂製であって、カバー本体１Ａを有しており、このカバー本体１Ａは、三方向の辺面部、すなわち、操作キー挿入方向Ｆに対して左方に位置する第２のカバー面部である四角形状の正面側カバー面部２と、この正面側カバー面部２に連なり、且つ正面側カバー面部２とは直角をなす第１のカバー面部である四角形状の上面側カバー面部３と、正面側カバー面部２と上面側カバー面部３に連なり、且つこれらの両カバー面部２、３のそれぞれに対して交叉、例えば直角をなす第３のカバー面部である四角形状の側面側カバー面部４を有している。
【００３６】
そして、正面側カバー面部２は保護壁部を構成しており、上面側カバー面部３と側面側カバー面部４は操作キー取付面部を構成している。ここで、一方の操作キー取付面部である側面側カバー面部４に操作キー１２を取付けた場合に、他方の操作キー取付面部である上面側カバー面部３も保護壁部になる。そして、後述するように、上面側カバー面部３は操作キー１２のキー部１４の平坦面部である上面部１４ｂに対向するようになり、正面側カバー面部２はキー部１４の片側の側面部である左側面部１４ａに対向するようになる。
【００３７】
そして、図３に示すように、側面側カバー面部４の外面には四角形状の嵌合凹部１６Ａが形成してあり、この嵌合凹部１６Ａには、上面側カバー面部３に平行する方向にスリット５と、このスリット５を挟んで位置するそれぞれ一対の長孔からなるカバー側取付孔であるねじ挿通孔６とが形成してある。また、上面側カバー面部３の外面には四角形状の嵌合凹部１６Ｂが形成してあり、この嵌合凹部１６Ｂには、スリット５に平行するスリット７と、このスリット７を挟んで位置するそれぞれ一対の長孔からなるカバー側取付孔であるねじ挿通孔８とが形成してある。そして、嵌合凹部１６Ａとスリット５とねじ挿通孔６とで一方のキー取付け手段を構成しており、嵌合凹部１６Ｂとスリット７とねじ挿通孔８とで他方のキー取付け手段を構成している。
【００３８】
また、図３に示すように、正面側カバー面部２の外面には、その隅角部２ａを挟んだ位置にカバー側位置決めマーキング９，１０が形成してあるし、上面側カバー面部３の外面には、その端縁部３ａの略中央に位置させてカバー側位置決めマーキング１１Ａが形成してあり、また、側面側カバー面部４の外面には、その端縁部４ａの略中央に位置させてカバー側位置決めマーキング１１Ｂが形成してある。
【００３９】
上記のように構成された操作キーカバー１の装着を説明する。図８において、産業用機器、産業用ロボット等の作業エリアの出入り口Ａの両端を形成するスライド扉２１と取付板２２とには、安全スイッチであるドアスイッチＢが装備してある。このドアスイッチＢは、取付板２２に取付けられたスイッチ本体２３と、操作キー１２の組合わせとして構成してある。
【００４０】
スイッチ本体２３は本体ブロック部２３Ａとヘッド部２４を有しており、ヘッド部２４には、その側面部２４ａにキー挿入口２５Ａが、また頂部２４ｂにはキー挿入口２５Ｂがそれぞれ設けてある。また、本体ブロック部２３Ａには、キー挿入口２５Ａ（２５Ｂ）に操作キー１２が挿抜されることで正逆に回転操作される回転カムと、この回転カムの正回転によって接点切換えが行われるスイッチ部（いずれも図示せず）が内装してあり、作業エリアに設置された各種機器に対する駆動用電源の入り切りが行われるようになっている。
【００４１】
図８に示すように、スイッチ本体２３は縦姿勢で取付板２２に取り付けてあり、そのヘッド部２４の側面のキー挿入口２５Ａは出入り口Ａ側に向けてある。
【００４２】
また、図６に示すように、ヘッド部２４の正面部２４ｃにはヘッド側位置決めマーキング２６，２７が形成してあり、また、図７に示すように、ヘッド部２４の頂部２４ｂにはヘッド側位置決めマーキング２８が形成してある。
【００４３】
スライド扉２１の外側面には、出入り口２１側に寄せて、スライド扉２１の外側面に対して直角に扉側キー取付部２１Ａが設けてある。そして、この扉側キー取付部２１Ａに上記した操作キー１２と操作キーカバー１が取付けてある。この扉側キー取付部２１Ａはキー取付部材を構成している。
【００４４】
操作キー１２と操作キーカバー１の扉側キー取付部２１Ａへの取付は、まず、図２に示すように、操作キーカバー１の側面側カバー面部４のスリット５に、操作キーカバー１の外側から操作キー１２のキー部１４を挿入して嵌合凹部１６Ａに操作キー１２のキー側取付部１３を嵌合する。この場合、キー側取付部１３の一対のねじ挿通孔１５が側面側カバー面部４の一対のねじ挿通孔６に重なる。
【００４５】
そして、図４に示すように、取付用ねじ部材２９を操作キーカバー１の内側からねじ挿通孔６及びねじ挿通孔１５に挿通して、取付用ねじ部材２９を扉側キー取付部２１Ａのねじ孔（図示せず）に螺合する。この状態で、図６及び図７に示すように、カバー側位置決めマーキング９をヘッド側位置決めマーキング２６に一致させ、カバー側位置決めマーキング１０をヘッド側位置決めマーキング２７に一致させると共に、カバー側位置決めマーキング１１Ａをヘッド側位置決めマーキング２８に一致させた状態で、取付用ねじ部材２９を締付ける。この結果、操作キー１２のキー部１４がヘッド部２４のキー挿入口２５Ａに対向するようになる。
【００４６】
上記したように、操作キーカバー１と操作キー１２を扉側キー取付部２１Ａに固定した場合、図４に示すように、操作キー１２のキー部１４は操作キーカバー１により被われる。すなわち、キー部１４の左側部１４ａは正面側カバー面部２により被われ、キー部１４の上面部１４ｂは上面側カバー面部３により被われ、キー部１４の先端部１４ｃは操作キーカバー１内にあって、キー部１４は操作キーカバー１により完全に被われることになる。
【００４７】
そして、図１０及び図１１に示すように、スライド扉２１を移動して出入り口Ａを閉じた場合、操作キー１２のキー部１４はキー挿入口２５Ａに挿入されて、回転カムが正回転し、スイッチ部の接点切換えが行われて、各種機器に対する駆動用電源が入れられる。
【００４８】
また、上面側カバー面部３を操作キー取付面部として、この上面側カバー面部３に操作キー２１を取付けた場合に、正面側カバー面部２と側面側カバー面部４が保護壁部になる。この場合には、図３に示す上面側カバー面部３のスリット７に、操作キーカバー１の外側から操作キー１２のキー部１４を挿入して嵌合凹部１６Ｂに操作キー１２のキー側取付部１３を嵌合し、キー側取付部１３の一対のねじ挿通孔１５を上面側カバー面部３の一対のねじ挿通孔８に重ね、取付用ねじ部材２９を操作キーカバー１の内側からねじ挿通孔８及びねじ挿入孔１５に挿通して、取付用ねじ部材２９を扉側キー取付部２１Ａにねじ孔に螺合するようになる。なお、図５に示すように、操作キー１２を上下逆にしてスリット５（７）に挿入して取付けても良い。
【００４９】
上記したように、本発明の実施例１によれば、操作キーカバー１は他の部材に付随したものでないために、操作キーカバー１のみを購入することで採用でき、コストが安価で、且つ設置スペースが狭くて済む。また、正面側カバー面部２と上面側カバー面部３（もしくは側面側カバー面部４）が交叉例えば直交する二面の保護壁部を構成するために、操作キー１２を操作キーカバー１で保護しても、操作キー１２の挿入をスイッチ本体２３に対して両方から行うことができるようになって、セッティングし易くなる。また、操作キーカバー１が透明であるために、操作キー１２の状態を視認することができる。
【００５０】
また、スリット５（７）にキー部１４を挿入してキー側取付部１３を側面側カバー面部４（もしくは上面側カバー面部３）の嵌合凹部１６Ａ（１６Ｂ）に嵌合させ、取付用ねじ部材２９をカバー側取付孔６（８）からねじ挿通孔１５に挿通させて、取付用ねじ部材２９で操作キー１２及び操作キーカバー１を扉側キー取付部２１Ａに取付けることができる。このために、操作キー取付面部である側面側カバー面部４（もしくは上面側カバー面部３）の外面位置よりスイッチ本体２３側に操作キー１２を移動させて扉側キー取付部２１Ａに取付けることができる。したがって、既存の所定長の操作キーを操作キーカバーに取付けて使用できるし、スイッチ本体２３のヘッド部２４のキー挿入口２５Ａにキー部１４が挿入された際に、確実に、スイッチ部接点切換えを行う回転カムを作動することができるようになって、操作キー１２とスイッチ本体２３の位置関係を変える必要がなくなる。
【００５１】
（実施例２）
本発明に係る操作キーカバーの実施例２を図１２乃至図１６に示す。なお、説明の便宜上、操作キー挿入方向Ｆに対して上下方向及び左右方向を図示のように設定する。
【００５２】
図１５に示すように、操作キー４７は、そのキー本体４７Ａの基部にキー側取付部４８を、その先部にキー部４９をそれぞれ有しており、キー側取付部４８はキー部４９に対して直線状に連なっており、このキー側取付部４８には長孔からなる一対のキー側取付孔であるねじ挿通孔４８Ａが形成してある。
【００５３】
操作キーカバー３１は透明な合成樹脂製であって、カバー本体３１Ａを備えており、このカバー本体３１Ａは、二方向の辺面部、すなわち、図１２に示すように、操作キー挿入方向Ｆに対して左方に位置する第２のカバー面部である四角形状の正面側カバー面部３２と、この正面側カバー面部３２に連なり、且つ正面側カバー面部３２に対して直角をなす第１のカバー面部である四角形状の上面側カバー面部３３を有する。この場合、正面側カバー面部３２と上面側カバー面部３３が互いに交叉例えば直交する二面の保護壁部を構成する。
【００５４】
図１５に示すように、カバー本体３１Ａの内面部にはキー取付手段が設けてある。このキー取付手段は正面側キー取付部３５と上面側キー取付部３６から構成してある。そして、上面側キー取付部３６の内面部にはキー取付用嵌合部３７と一対の凹部３８と突起部４０が形成してあり、凹部３８の底部には長孔状のねじ挿通孔３９が形成してあるし、上面側キー取付部３５の内面部にはキー取付用嵌合部４１と一対の凹部４２と突起部４３が形成してあり、凹部４２の底部には長孔状のねじ挿通孔４４が形成してある。
【００５５】
また、正面側カバー面部３２には、図１３において下部に四角形状の窓部３２Ａが形成してあり、正面側カバー面部３２の外面には、その端縁部３２ａの略中央にカバー側位置決めマーキング４５ａが形成してあり、窓部３２Ａの上縁部にはカバー側位置決めマーキング４５ｂが形成してある。また、上面側カバー面部３３には、図１４において左部に四角形状の窓部３３Ａが形成してあり、上面側カバー面部３３の外面には、その端縁部３３ａにカバー側位置決めマーキング４６Ａが形成してあり、窓部３３Ａの縁部にはカバー側位置決めマーキング４６Ｂが形成してある。
【００５６】
上記した操作キー４７と操作キーカバー３１はスライド扉２１の扉側キー取付部２１Ａに取付けられるものである。この操作キー４７と操作キーカバー３１との扉側キー取付部２１Ａへの取付は、まず、図１２に示すキー取付用嵌合部３７に操作キー４７のキー側取付部４８を嵌合する。この場合、キー側取付部４８のねじ挿通孔４８Ａが上面側キー取付部３６のねじ挿通孔３９に一致する。
【００５７】
そして、取付用ねじ部材５０を操作キーカバー３１の内側からねじ挿通孔４８Ａ及びねじ挿入孔３９に挿通して、取付用ねじ部材５０を扉側キー取付部２１Ａのねじ孔（図示せず）に螺合する。この状態で、図１３に示すように、カバー側位置決めマーキング４５ａをヘッド側位置決めマーキング２６に一致させ、カバー側位置決めマーキング４５ｂをヘッド側位置決めマーキング２７に一致させると共に、図１４に示すように、カバー側位置決めマーキング４６ａをヘッド側位置決めマーキング２８に一致させた状態で、取付用ねじ部材５０を締付ける。この結果、操作キー４７のキー部４９がヘッド部２４のキー挿入口２５Ａに対向するようになる。
【００５８】
上記したように、操作キーカバー３１と操作キー４７を扉側キー取付部２１Ａに固定した場合、図１２に示すように、操作キー４７のキー部４９は操作キーカバー３１により被われる。すなわち、キー部４９の片側の側面部である左側部４９ａは正面側カバー面部３２により被われ、キー部４９の平坦面部である上面部４９ｂは上面側カバー面部３３により被われ、キー部４７の先端部４７ｃは操作キーカバー３１内にあって、キー部４７は操作キーカバー３１により完全に被われることになる。
【００５９】
上記した説明では、上面側キー取付部３６に操作キー４７が取付けてあるが、図１５及び図１６に示すように、操作キー４７をキー取付用嵌合部４１に嵌合して、ねじ挿通孔４８Ａをねじ挿通孔４４に一致させ、取付用ねじ部材５０を操作キーカバー３１の内側からねじ挿通孔４８Ａ及びねじ挿入孔４４に挿通して、取付用ねじ部材５０を扉側キー取付部２１Ａのねじ孔（図示せず）に螺合して、正面側キー取付部３５に操作キー４７を取付けることもできて、双方向挿入に対応している。
【００６０】
上記したように、本発明の実施例２によれば、操作キーカバー３１は他の部材に付随したものでないために、操作キーカバー３１のみを購入することで採用でき、コストが安価で、且つ設置スペースが狭くて済む。また、操作キー４７を操作キーカバー３１で保護しても、操作キー４７の挿入をスイッチ本体２３に対して両方から行うことができるようになって、セッティングし易くなる。また、操作キーカバー３１が透明であるために、操作キー４７の状態を視認することができる。
【００６１】
また、操作キー４７の操作キーカバー３１への取付は、操作キー４７をキー取付用嵌合部３７（４１）に嵌合して、ねじ挿通孔４８Ａをねじ挿通孔３９（４４）に一致させ、取付用ねじ部材５０を操作キーカバー３１の内側からねじ挿通孔４８Ａ及びねじ挿入孔３９（４４）に挿通して、取付用ねじ部材５０を扉側キー取付部２１Ａのねじ孔（図示せず）に螺合して行われ、双方向挿入に対応することができる。このために、操作キーカバー３１及び操作キー４７の設置スペースが狭くて済むし、また、セッティング時の使いやすさが向上する。
【００６２】
（実施例３）
本発明に係る操作キーカバーの実施例３を図１７乃至図２３に示す。なお、説明の便宜上、操作キー挿入方向Ｆに対して上下方向及び左右方向を図示のように設定する。
【００６３】
本発明に係る操作キーカバーの実施例３では、操作キーカバー５１に後述する操作キー６６を取付ける構成ではなく、キー取付部材である扉側キー取付部２１Ａに操作キー６６を取付けた後に、操作キーカバー５１を扉側キー取付部２１Ａに取付けるものである。
【００６４】
操作キーカバー５１は透明な合成樹脂製であって、カバー本体５１Ａを備えており、このカバー本体５１Ａは、二方向の辺面部、すなわち、図１７に示すように、操作キー挿入方向Ｆに対して左方に位置する第２のカバー面部である四角形状の正面側カバー面部５２と、この正面側カバー面部５２に連なり、且つ正面側カバー面部５２に対して直角をなす第１のカバー面部である四角形状の上面側カバー面部５３を有する。この場合、正面側カバー面部５２と上面側カバー面部５３が交叉例えば直交する二面の保護壁部を構成する。
【００６５】
そして、正面側カバー面部５２の外面部の端縁部５２ａには取付座部５４が設けてあり、この取付座部５４には長孔からなるねじ挿通孔５５が形成してあるし、また、上面側カバー面部５３の外面部の端縁部５３ａには取付座部５６が設けてあり、この取付座部５６には長孔からなるねじ挿通孔５７が形成してある。そして、両取付座部５４，５６はカバー取付手段を構成している。
【００６６】
図２１乃至図２３に示すように、操作キーユニット６０は、一対のねじ挿通孔６１Ａを有する保持ベース６１を備えており、この保持ベース６１には、水平用キー溝６２と、この水平用キー溝６２に対して直角をなす垂直用キー溝６３が形成してあり、水平用キー溝６２の底部にはばね収容凹部６４が形成してあり、垂直用キー溝６３の底部にはばね収容凹部６５が形成してある。
【００６７】
また、操作キー６６は、キー本体６６Ａの基部の一側縁部に垂直方向調整脚部６７と水平方向調整脚部６８を備えており、水平方向調整脚部６８をキー本体６６Ａの面部に平行に成し、垂直方向調整脚部６７をキー本体６６Ａの面部に対して屈曲して形成して構成してある。そして、ばね収容凹部６４，６５にそれぞれのばね部材７０，７１が収容してある。そして、水平方向調整脚部６８を水平用キー溝６２に、垂直方向調整脚部６７を垂直用キー溝６３にそれぞれ挿入して、ばね部材７０，７１に当接させてあり、操作キー６６の基部に水平方向揺動支点Ｐ１と垂直方向揺動支点Ｐ２が設けてある。
【００６８】
そして、保持ベース６１には水平方向調整脚部６８をばね部材７０のばね力に抗して押し下げる水平方向調整ねじ７２が設けてあり、また、保持ベース６１には垂直方向調整脚部６７をばね部材７１のばね力に抗して押し下げる垂直方向調整ねじ７３が設けてある。
【００６９】
したがって、水平方向調整ねじ７２及び垂直方向調整ねじ７３を共に締め付けることにより、水平方向調整脚部６８及び垂直方向調整脚部６７をばね部材７０，７１に抗して固定することで、操作キー６６が水平方向Ｘ−Ｘ及び垂直方向Ｙ−Ｙにおいて中立状態になる。また、水平方向調整ねじ７２を緩めて水平方向調整脚部６８をばね部材７０により保持させ、垂直方向調整ねじ７３を締め付けることにより垂直方向調整脚部６７を固定状態することで、操作キー６６の水平方向Ｘ−Ｘの揺動が可能になる。また、垂直方向調整ねじ７３を緩めて垂直方向調整脚部６７をばね部材７１により保持させ、水平方向調整ねじ７２を締め付けることにより水平方向調整脚部６８を固定状態することで、操作キー６６の垂直方向Ｙ−Ｙの揺動が可能になる。
【００７０】
したがって、水平方向Ｘ−Ｘに直線移動するスライド扉２１には、操作キー６６を水平方向Ｘ−Ｘ及び垂直方向Ｙ−Ｙにおいて中立状態にした操作キーユニット６０を適用することができ、この操作キーユニット６０のスライド扉２１の扉側キー取付部２１Ａへの取付は、その保持ベース６１のねじ挿通孔６１Ａを用いて取付用ねじ部材（図示せず）によりスライド扉２１の扉側キー取付部２１Ａに固定して行われる。また、操作キーカバー５１は、それぞれの取付座部５４，５６で取付用ねじ部材（図示せず）により扉側キー取付部２１Ａに固定される。
【００７１】
このように、操作キーユニット６０と操作キーカバー３１を扉側キー取付部２１Ａに取付けた場合、図１７乃至図２０に示すように、操作キー６６のキー部６６Ａは操作キーカバー５１により被われる。すなわち、キー部６６Ａの片側の側面部である左側部６６ａは操作キーカバー５１の正面側カバー面部５２により被われ、キー部６６Ａの平坦面部である上面部６６ｂは上面側カバー面部５３により被われ、キー部６６Ａの先端部６６ｃは操作キーカバー５１内にあって、キー部６６Ａは操作キーカバー５１により完全に被われることになる。
【００７２】
上記したように、本発明の実施例３によれば、操作キー６６を、保持ベース６１のねじ挿通孔６１Ａを用いて扉側キー取付部２１Ａに取付けた後に、操作キーカバー５１を、その取付座部５４，５６を利用して扉側キー取付部２１Ａに取付けることができる。また、操作キーカバー１が透明であるために、操作キー６６の状態を視認することができる。
【００７３】
（実施例４）
本発明に係る操作キーカバーの実施例４を図２４乃至図２７に示す。なお、説明の便宜上、操作キー挿入方向Ｆに対して上下方向及び左右方向を図示のように設定する。
【００７４】
図２４に示すように、操作キー８３は、そのキー本体８３Ａの基部にキー側取付部８４を、その先部にキー部８５をそれぞれ有しており、キー側取付部８４はキー部８５に対して直角に屈曲してあって、このキー側取付部８４には長孔からなる一対の取付孔８６が形成してある。
【００７５】
操作キーカバー７１は透明な合成樹脂製であって、カバー本体７１Ａを備えている。このカバー本体７１Ａは、二方向の辺面部、すなわち、図２４に示すように、操作キー挿入方向Ｆに対して右方に位置する第２のカバー面部である四角形状の正面側カバー面部７２と、この正面側カバー面部７２に連なり、且つ正面側カバー面部７２に対して直角をなす第１のカバー面部である四角形状の上面側カバー面部７３を有する。この場合、正面側カバー面部７２と上面側カバー面部７３が交叉と例えば直交する二面の保護壁部を構成する。
【００７６】
図２４及び図２７に示すように、カバー本体７１Ａの内面部には操作キー挿入方向Ｆに互いに離間し、且つ対向するようにしてカバー側キー取付部７５、７６が形成してある。一方のカバー側キー取付部７５には、カバー側取付孔である長孔状の一対のねじ挿通孔７７Ａと、キー取付用嵌合部である一対のキー取付用突起部７８Ａが形成してあるし、他方のカバー側キー取付部７６には、カバー側取付孔である長孔状の一対のねじ挿通孔７７Ｂと、キー取付用嵌合部である一対のキー取付用突起部７８Ｂが形成してある。なお、図２４は、操作キー８３を一方のカバー側キー取付部７５に取付けたものであり、図２７は、操作キー８３を他方のカバー側キー取付部７６に取付けたものである。
【００７７】
また、正面側カバー面部７２の外面には、その一方の隅角部７２ａにカバー側位置決めマーキング７９Ａ，８０Ａが、他方の隅角部７２ｂにカバー側位置決めマーキング７９Ｂ，８０Ｂがそれぞれ設けてある。
【００７８】
そして、操作キー８３は、その一対の取付孔８６にキー取付用突起部７９を嵌着して一方のカバー側キー取付部７５に取付けてあり、キー部８５は上面側カバー面部７３に平行するようにして操作キーカバー７１の内方に位置している。
【００７９】
上記したように、操作キー８３は操作キーカバー７１の一方のカバー側キー取付部７５に取付けてあって、操作キー挿入方向Ｆが、上記した本発明の実施例１〜３の場合と逆であるために、操作キー８３及び操作キーカバー７１を取付けるスライド扉２１は、図８及び図９に示す配置位置とは逆になる。
【００８０】
そして、操作キーカバー７１のスライド扉２１の扉側キー取付部２１Ａへの取付は、まず、操作キーカバー７１を扉側キー取付部２１Ａに位置付けし、図２５に示すように、他方のカバー側キー取付部７６のねじ挿通孔７７Ｂに取付用ねじ部材８７を挿通して、取付用ねじ部材８７を扉側キー取付部２１Ａのねじ孔（図示せず）に螺合して行うことになる。
【００８１】
この状態で、図２５及び図２６に示すように、カバー側位置決めマーキング７９Ａをヘッド側位置決めマーキング２６に一致させ、カバー側位置決めマーキング８０Ａをヘッド側位置決めマーキング２７に一致させると共に、カバー側位置決めマーキング７９Ｃをヘッド側位置決めマーキング２８に一致させた状態で、取付用ねじ部材８７を締付けてする。この結果、操作キー８３のキー部８５がヘッド部２４のキー挿入口２５Ａに対向するようになる。
【００８２】
上記したように、操作キーカバー７１と操作キー８３を扉側キー取付部２１Ａに固定した場合、操作キー８３のキー部８５は操作キーカバー７１により被われる。すなわち、図２４に示すように、キー部８５の片側の側面部である右側部８５ａは操作キーカバー７１の正面側カバー面部７２により被われると共に、キー部８５の平坦面部である上面部８５ｂは上面側カバー面部７３により被われ、キー部８５の先端部は操作キーカバー７１内にあって、キー部８５は操作キーカバー７１により完全に被われることになる。
【００８３】
上記した説明では、操作キー８３は、その一対の取付孔８６に、一方のカバー側キー取付部７５のキー取付用突起部７９を嵌着して一方のカバー側キー取付部７５に取付けてあるが、図２７に示すように、操作キー８３は、右側他方のカバー側キー取付部７６のキー取付用突起部７９を嵌着して他方のカバー側キー取付部７６に取付けることもできて、双方向挿入に対応している。
【００８４】
上記したように、本発明の実施例４によれば、操作キーカバー７１は他の部材に付随したものでないために、操作キーカバー７１のみを購入することで採用でき、コストが安価で、且つ設置スペースが狭くて済む。また、操作キーカバー７１で操作キー８３を保護するようにしても、操作キー８３の挿入をスイッチ本体２３に対して両方から行うことができるようになって、セッティングし易くなる。また、操作キーカバー１が透明であるために、操作キーの状態を視認することができる。
【００８５】
また、操作キー８３は、その一対の取付孔８６に、一方のカバー側キー取付部７５のキー取付用突起部７８Ａを嵌着して一方のカバー側キー取付部７５に取付け、また、操作キー８３は、その一対の取付孔８６に、他方のカバー側キー取付部７６のキー取付用突起部７８Ｂを嵌着して他方のカバー側キー取付部７６に取付けることもできて、双方向挿入に対応させることができる。このために、操作キーカバー７１及び操作キー８３の設置スペースが狭くて済むし、また、セッティング時の使いやすさが向上する。
【００８６】
（実施例５）
本発明に係る操作キーカバーの実施例５を図２８乃至図３０に示す。なお、説明の便宜上、操作キー挿入方向Ｆに対して上下方向及び左右方向を図示のように設定する。
【００８７】
操作キー１０２は、そのキー本体１０２Ａの基部にキー側取付部１０３を、その先部にキー部１０４をそれぞれ有しており、キー側取付部１０３とキー部１０４とは直線状に連ねてあり、このキー側取付部１０３には一対の取付孔１０５が形成してある。
【００８８】
操作キーカバー９１は透明な合成樹脂製であって、カバー本体９１Ａを備えている。このカバー本体９１Ａは二方向の辺面部、すなわち、図２８に示すように、操作キー挿入方向Ｆに対して左方に位置する第２のカバー面部である四角形状の正面側カバー面部９２と、この正面側カバー面部９２に連なり、且つ正面側カバー面部９２に対して直角をなす第１のカバー面部である四角形状の上面側カバー面部９３を有する。この場合、正面側カバー面部９２と上面側カバー面部３３が交叉例えば直交する二面の保護壁部を構成する。
【００８９】
そして、正面側カバー面部９２の内面部には、その端側に寄せて肉厚なねじ挿通孔形成部９４が設けてあり、このねじ挿通孔形成部９４には一対の弾性体嵌合凹部９５が設けてあり、これらの弾性体嵌合凹部９５にねじ挿通孔９６が形成してある。また、上面側カバー面部９３の内面部には、その端側に寄せて肉厚なカバー側キー取付部９７が設けてあり、このカバー側キー取付部９７には、一対のキー取付用突起部９８が形成してある。
【００９０】
また、図２９に示すように、正面側カバー面部９２の外面には、その隅角部９２ａにカバー側位置決めマーキング９９ａ，９９ｂが形成してある。また、図３０に示すように、上面側カバー面部９３の外面には、その隅角部９３ａにカバー側位置決めマーキング１００ａ，１００ｂが形成してある。
【００９１】
そして、操作キー１０２は、その一対の取付孔１０５に一対のキー取付用突起部９８を嵌着してカバー側キー取付部９７に取付けてあり、操作キー１０２のキー部１０４は上面側カバー面部９３に平行するようにして操作キーカバー９１の内方に位置している。
【００９２】
そして、操作キー１０２と操作キーカバー９１とのスライド扉２１の扉側キー取付部２１Ａへの取付にあたっては、まず、正面側カバー面部９２の弾性体嵌合凹部９５に、ゴムのような弾性体（図示せず）を嵌合して、操作キーカバー９１を扉側キー取付部２１Ａに位置付けして、ねじ挿通孔９６に取付用ねじ部材（図示せず）を挿通して、取付用ねじ部材を扉側キー取付部２１Ａのねじ孔（図示せず）に螺合して行われる。
【００９３】
この状態で、カバー側位置決めマーキング９９ａをヘッド側位置決めマーキング２６に一致させ、カバー側位置決めマーキング９９ｂをヘッド側位置決めマーキング２７に一致させると共に、カバー側位置決めマーキング１００ｂをヘッド側位置決めマーキング２８に一致させた状態で、取付用ねじ部材を締付けてする。この結果、操作キー１０２のキー部１０４がヘッド部２４のキー挿入口２５Ａに対向するようになる。
【００９４】
上記したように、操作キーカバー９１と操作キー１０２を扉側キー取付部２１Ａに固定した場合、操作キー１０２のキー部１０４は操作キーカバー９１により被われる。すなわち、キー部１０４の片側の側面部である左側部１０４ａは正面側カバー面部９２により被われ、キー部１０４の平坦面部である上面部１０４ｂは上面側カバー面部９３で被われ、先端部１０４ｃは操作キーカバー９１内にあって、キー部１０２は操作キーカバー９１により完全に被われることになる。
【００９５】
上記したように、本発明の実施例５によれば、操作キーカバー９１は他の部材に付随したものでないために、操作キーカバー９１のみを購入することで採用でき、コストが安価で、且つ設置スペースが狭くて済む。また、操作キーカバー９１で操作キー１０２を保護するようにしても、操作キー１０２の挿入をスイッチ本体２１に対して両方から行うことができるようになって、セッティングし易くなる。また、操作キーカバー９１が透明であるために、操作キー１０２の状態を視認することができる。
【００９６】
また、操作キー１０２は、その一対の取付孔１０５に一対のキー取付用突起部９８を嵌着してカバー側キー取付部９７に取付けてあり、操作キー１０２のキー部１０４は上面側カバー面部９３に平行するようにして操作キーカバー９１の内方に位置するようになる。このために、操作キーカバー９１及び操作キー１０２の設置スペースが狭くて済むし、また、セッティング時の使いやすさが向上する。
【００９７】
（実施例６）
本発明に係る操作キーカバーの実施例６を図３１乃至図３４に示す。なお、説明の便宜上、操作キー挿入方向Ｆに対して上下方向及び左右方向を図示のように設定する。
【００９８】
本発明に係る操作キーカバーの実施例６では、操作キーカバー１１１に後述する操作キー１１２を取付ける構成ではなく、キー取付部材である扉側キー取付部２１Ａに操作キー１１２を取付けた後に、操作キーカバー１１１を扉側キー取付部２１Ａに取付けるものである。
【００９９】
操作キーカバー１１１は透明な合成樹脂製であって、カバー本体１１１Ａを備えており、このカバー本体１１１Ａは、二方向の辺面部、すなわち、図３１に示すように、操作キー挿入方向Ｆに対して右方に位置する第２のカバー面部である四角形状の正面側カバー面部１１２と、この正面側カバー面部１１２に連なり、且つ正面側カバー面部１１２に対して直角をなす第１のカバー面部である四角形状の上面側カバー面部１１３を有する。この場合、正面側カバー面部１１２と上面側カバー面部１１３が交叉例えば直交する二面の保護壁部を構成する。
【０１００】
そして、正面側カバー面部１１２の外面部の端縁部には取付座部１１４が設けてあり、この取付座部１１４には長孔からなるねじ挿通孔１１５が形成してあるし、また、上面側カバー面部１１３の外面部の端縁部には取付座部１１６が設けてあり、この取付座部１１６には長孔からなるねじ挿通孔１１７が形成してある。そして、両取付座部１１４，１１６はカバー取付手段を構成している。
【０１０１】
操作キーユニット１２０は保持ベース１２１を備えており、この保持ベース１２１にねじ挿通孔１２１Ａが形成してある。また、保持ベース１２１は操作キー１２２が上下方向に揺動可能に取付けてあり、保持ベース６１には操作キー１２２の垂直方向調整脚部をばね部材のばね力に抗して押し下げる垂直方向調整ねじ（いずれも図示せず）が設けてある。
【０１０２】
したがって、垂直方向調整ねじを締め付けることにより、垂直方向調整脚部をばね部材に抗して固定することで、操作キー１２２が垂直方向において中立状態になる。また、垂直方向調整ねじを緩めて垂直方向調整脚部をばね部材により保持させることで、操作キー１２２の垂直方向の揺動が可能になる。
【０１０３】
したがって、スライド扉２１には、操作キー１２２を中立状態にした操作キーユニット１２０を適用することができる。したがって、この操作キーユニット１２０をスライド扉２１の扉側キー取付部２１Ａに保持ベース１２１を、そのねじ挿通孔１２１Ａを用いて取付用ねじ部材（図示せず）でねじ止めした場合、操作キーカバー１１１は、それぞれの取付座部１１４，１１６で取付用ねじ部材（図示せず）により扉側キー取付部２１Ａに取付けられる。
【０１０４】
このように、操作キーカバー１１１と操作キー１２２をスライド扉２１に取付けた場合、操作キー１２２のキー部１２２Ａは操作キーカバー１１１により被われる。すなわち、キー部１２２Ａの片側の側面部である右側部１２２ａは正面側カバー面部１１２により被われ、キー部１２２Ａの平坦面部である上面部１２２ｂは上面側カバー面部１１３により被われ、キー部１２２Ａの先端部１２２ｃは操作キーカバー１１１内にあって、キー部１２２Ａは操作キーカバー１１１により完全に被われることになる。
【０１０５】
上記したように、本発明の実施例６によれば、操作キーユニット１２２を、保持ベース１２１を、そのねじ挿通孔１２１Ａを用いてねじ止めした後に、操作キーカバー１１１を、その取付座部１１４，１１６を利用してスライド扉２１に取付けることができる。また、操作キーカバー１１１が透明であるために、操作キー１２２の状態を視認することができる。
【０１０６】
なお、上記した本発明の実施例１〜実施例６では、作業エリアの出入り口Ａを開閉するスライド扉２１の扉側キー取付部２１Ａに取付けるようにしたが、作業エリアの出入り口Ａを開閉する観音扉、回動扉等にもスイッチ本体２３の取付姿勢に対応して取付けることが可能である。
【産業上の利用可能性】
【０１０７】
本発明に係る操作キーカバーによれば、操作キーカバーは他の部材に付随したものでないために、操作キーカバーのみを購入することで採用でき、コストが安価で、且つ設置スペースが狭くて済む。また、操作キーを操作キーカバーで保護するようにしても、操作キーの挿入をスイッチ本体に対して両方から行うことができるようになって、セッティングし易くなるという効果を有しており、産業用機器、産業用ロボット等が設置された作業エリアにおける安全扉やフェンス扉などの出入り口に装備するドアスイッチ等に有用である。
【図面の簡単な説明】
【０１０８】
【図１】本発明に係る操作キーカバー（実施例１）と操作キーと取付用ねじ部材の斜視図である。
【図２】同操作キーカバーのスリットに操作キーを挿入した状態の斜視図である。
【図３】同操作キーカバーのスリットに操作キーを挿入した状態を側面側カバー面部側から見た斜視図である。
【図４】同操作キーカバーのスリットに操作キーを挿入し、取付用ねじ部材を装着した状態の斜視図である。
【図５】同操作キーカバーのスリットに操作キーを挿入した状態を上面側カバー面部側から見た斜視図である。
【図６】同操作キーカバーを使用したドアスイッチにおいて、操作キーが安全スイッチのスイッチ本体のキー挿入口に挿入された状態の平面図である。
【図７】図６のＬ方向からの矢視図である。
【図８】本発明に係る操作キーカバーを使用したドアスイッチを装備したスライド扉を開いた状態の正面図である。
【図９】図８のＪ方向からの矢視図である。
【図１０】スライド扉を閉じた状態の正面図である。
【図１１】図１０のＫ方向からの矢視図である。
【図１２】本発明に係る操作キーカバー（実施例２）に操作キーを取付けた状態の斜視図である。
【図１３】同操作キーカバーを使用したドアスイッチにおいて、操作キーがドアスイッチのスイッチ本体のキー挿入口に挿入された状態の平面図である。
【図１４】図１３のＭ方向からの矢視図である。
【図１５】同操作キーカバーの他のキー取付用嵌合部に操作キーを取付ける直前状態の斜視図である。
【図１６】同操作キーカバーの他のキー取付用嵌合部に操作キーを取付けた状態の斜視図である。
【図１７】本発明に係る操作キーカバー（実施例３）で操作キーユニットを覆った状態の斜視図である。
【図１８】同側面図である。
【図１９】同操作キーカバーを使用したドアスイッチにおいて、操作キーがドアスイッチのスイッチ本体のキー挿入口に挿入された状態の平面図である。
【図２０】図１９のＮ方向からの矢視図である。
【図２１】操作キーユニットの正面図である。
【図２２】図２１のＱ−Ｑ線に沿う断面図である。
【図２３】図２１のＲ−Ｒ線に沿う断面図である。
【図２４】本発明に係る操作キーカバー（実施例４）に操作キーを取付けた状態の斜視図である。
【図２５】同操作キーカバーを使用したドアスイッチにおいて、操作キーがドアスイッチのスイッチ本体のキー挿入口に挿入された状態の平面図である。
【図２６】図２５のＳ方向からの矢視図である。
【図２７】本発明に係る操作キーカバー（実施例４）に操作キーを逆に取付けた状態の斜視図である。
【図２８】本発明に係る操作キーカバー（実施例５）に操作キーを取付けた状態の斜視図である。
【図２９】同操作キーカバーを使用したドアスイッチにおいて、操作キーがドアスイッチのスイッチ本体のキー挿入口に挿入された状態の平面図である。
【図３０】図２９のＴ方向からの矢視図である。
【図３１】本発明に係る操作キーカバー（実施例６）で操作キーユニットを覆った状態の斜視図である。
【図３２】同側面図である。
【図３３】同操作キーカバーを使用したドアスイッチにおいて、操作キーがドアスイッチのスイッチ本体のキー挿入口に挿入された状態の平面図である。
【図３４】図３４のＵ方向からの矢視図である。
【図３５】従来のドアスイッチを装備したスライド扉を開いた状態の正面図である。
【図３６】図３５のＷ方向からの矢視図である。
【図３７】従来の操作キーカバーを使用したドアスイッチの斜視図である。
【符号の説明】
【０１０９】
Ｆ      操作キー挿入方向
１      操作キーカバー
２      正面側カバー面部（保護壁部）（第２のカバー面部）
３      上面側カバー面部（保護壁部）（操作キー取付面部）（第１のカバー面部）
４      側面側カバー面部（保護壁部）（操作キー取付面部）（第３のカバー面部）
５      スリット（キー取付手段）
６      ねじ挿通孔（カバー側取付孔）（キー取付手段）
７      スリット（キー取付手段）
８      ねじ挿通孔（カバー側取付孔）（キー取付手段）
１２    操作キー
１３    キー側取付部
１４    キー部
１４ｂ  上面部（平坦面部）
１４ａ  左側面部（片側の側面部）
１５    ねじ挿通孔（キー側取付孔）
１６Ａ  嵌合凹部（キー取付手段）
１６Ｂ  嵌合凹部（キー取付手段）
２１    スライド扉
２１Ａ  扉側キー取付部（操作キー取付部材）
２３    スイッチ本体
２４    ヘッド部
２５Ａ  キー挿入口
２９    取付用ねじ部材
３１    操作キーカバー
３２    正面側カバー面部（保護壁部）（第２のカバー面部）
３３    上面側カバー面部（保護壁部）（第１のカバー面部）
３５    正面側キー取付部（キー取付手段）
３６    上面側キー取付部（キー取付手段）
３７    キー取付用嵌合部（キー取付手段）
３８    凹部（キー取付手段）
３９    ねじ挿通孔（キー取付手段）
４０    突起部（キー取付手段）
４１    キー取付用嵌合部（キー取付手段）
４２    凹部（キー取付手段）
４３    突起部（キー取付手段）
４４    ねじ挿通孔（キー取付手段）
４７    操作キー
４８    キー側取付部
４８Ａ  ねじ挿通孔（キー側取付孔）
４９    キー部
４９ａ  左側部（片側の側面部）
４９ｂ  上面部（平坦面部）
５０    取付用ねじ部材
５１    操作キーカバー
５２    正面側カバー面部（保護壁部）（第２のカバー面部）
５３    上面側カバー面部（保護壁部）（第１のカバー面部）
５４    取付座部（カバー取付手段）
５６    取付座部（カバー取付手段）
６０    操作キーユニット
６１    保持ベース
６６    操作キー
６６Ａ  キー部
６６ａ  左側部（片側の側面部）
６６ｂ  上面部（平坦面部）
７１    操作キーカバー
７２    正面側カバー面部（保護壁部）（第２のカバー面部）
７３    上面側カバー面部（保護壁部）（第１のカバー面部）
７５    カバー側キー取付部
７６    カバー側キー取付部
７７Ａ  ねじ挿通孔（カバー側取付孔）
７７Ｂ  ねじ挿通孔（カバー側取付孔）
７８Ａ  キー取付用突起部（キー取付用嵌合部）
７８Ｂ  キー取付用突起部（キー取付用嵌合部）
８３    操作キー
８４    キー側取付部
８５    キー部
８５ａ  右側部（片側の側面部）
８５ｂ  上面部（平坦面部）
８６    取付孔
９１    操作キーカバー
９２    正面側カバー面部（保護壁部）（第２のカバー面部）
９３    上面側カバー面部（保護壁部）（第１のカバー面部）
９４    ねじ挿通孔形成部
９５    弾性体嵌合凹部
９６    ねじ挿通孔
９７    カバー側キー取付部
１０２  操作キー
１０３  キー側取付部
１０４  キー部
１０４ａ  左側部（片側の側面部）
１０４ｂ  上面部（平坦面部）
１０５  取付孔
１１１  操作キーカバー
１１２  正面側カバー面部（保護壁部）（第２のカバー面部）
１１３  上面側カバー面部（保護壁部）（第１のカバー面部）
１１４  取付座部（カバー取付手段）
１１６  取付座部（カバー取付手段）
１２２  操作キー
１２２ａ右側部（片側の側面部）
１２２ｂ上面部（平坦面部）
【図１】
2008226493.tif 000003
【図２】
2008226493.tif 000004
【図３】
2008226493.tif 000005
【図４】
2008226493.tif 000006
【図５】
2008226493.tif 000007
【図６】
2008226493.tif 000008
【図７】
2008226493.tif 000009
【図８】
2008226493.tif 000010
【図９】
2008226493.tif 000011
【図１０】
2008226493.tif 000012
【図１１】
2008226493.tif 000013
【図１２】
2008226493.tif 000014
【図１３】
2008226493.tif 000015
【図１４】
2008226493.tif 000016
【図１５】
2008226493.tif 000017
【図１６】
2008226493.tif 000018
【図１７】
2008226493.tif 000019
【図１８】
2008226493.tif 000020
【図１９】
2008226493.tif 000021
【図２０】
2008226493.tif 000022
【図２１】
2008226493.tif 000023
【図２２】
2008226493.tif 000024
【図２３】
2008226493.tif 000025
【図２４】
2008226493.tif 000026
【図２５】
2008226493.tif 000027
【図２６】
2008226493.tif 000028
【図２７】
2008226493.tif 000029
【図２８】
2008226493.tif 000030
【図２９】
2008226493.tif 000031
【図３０】
2008226493.tif 000032
【図３１】
2008226493.tif 000033
【図３２】
2008226493.tif 000034
【図３３】
2008226493.tif 000035
【図３４】
2008226493.tif 000036
【図３５】
2008226493.tif 000037
【図３６】
2008226493.tif 000038
【図３７】
2008226493.tif 000039